(57)【要約】【課題】  居室親機までの配線が２線の伝送線で構成されても幹線へ多数の居室親機の接続を可能とし、またノイズを抑制する。【解決手段】  幹線Ｌ１から住戸ラインＬ３を分岐する分岐器４は、上り信号を増幅する上り信号アンプ１２と、下り信号を増幅する下り信号アンプ１１と、住戸ラインＬ３に介在させるアンプを上り信号アンプ１２と下り信号アンプ１１との間で切り替えるＳＰＤＴスイッチ１３と、居室親機２から送出される上り信号を抽出する方向性結合器１４と、方向性結合器１４の抽出信号から上り信号の有無を判別するキャリア検出部１６と、キャリア検出部１６の検出結果を受けてＳＰＤＴスイッチ１３を制御するＳＰＤＴスイッチ制御部１７とを有し、上り信号がある場合はＳＰＤＴスイッチ制御部１７が上り信号アンプ１２を住戸ラインＬ３に介在させ、それ以外では下り信号アンプ１１を住戸ラインＬ３に介在させる。【選択図】  図２
2018088593.tif 000002
【特許請求の範囲】
【請求項１】
集合玄関に設置されて来訪者が居住者を呼び出すための集合玄関機と、各住戸に設置されて前記集合玄関機からの呼び出しに応答するための複数の居室親機と、前記集合玄関機と前記居室親機との間の通信を制御する制御機と、前記制御機から集合住宅内に配設された幹線に前記居室親機を接続するための住戸ラインを分岐する分岐器とを有する集合住宅インターホンシステムにおいて、
前記分岐器は、前記居室親機から前記幹線に伝送される上り信号を増幅する上り信号アンプと、
前記幹線から前記居室親機に伝送される下り信号を増幅する下り信号アンプと、
前記住戸ラインに介在させるアンプを、前記上り信号アンプと前記下り信号アンプとの間で切り替えるＳＰＤＴスイッチと、
前記居室親機から送出される前記上り信号を抽出する上り信号抽出手段と、
前記上り信号抽出手段の抽出信号から前記上り信号の有無を判別するキャリア検出部と、
前記キャリア検出部の検出結果を受けて前記ＳＰＤＴスイッチを制御するＳＰＤＴスイッチ制御部とを有し、
前記ＳＰＤＴスイッチ制御部は、前記キャリア検出部が上り信号有りと判別したら、前記上り信号アンプを前記住戸ラインに介在させ、それ以外では前記下り信号アンプを前記住戸ラインに介在させることを特徴とする集合住宅インターホンシステム。
【請求項２】
前記信号抽出手段が、前記上り信号の一部を前記キャリア検出部に出力する一方で、前記下り信号に対しては前記上り信号に比べて大きく減衰させた信号を前記キャリア検出部に出力する方向性結合器であることを特徴とする請求項１記載の集合住宅インターホンシステム。
【発明の詳細な説明】
【技術分野】
【０００１】
本発明は、集合住宅インターホンシステムに関し、詳しくは集合玄関機が接続された制御機から集合住宅内に配設された幹線に対して、分岐器を介して居室親機が接続されている集合住宅インターホンシステムに関する。
【背景技術】
【０００２】
従来より、集合玄関機が接続された制御機から集合住宅内に２線から成る幹線が配設され、この幹線から分岐した住戸ラインに居室親機を接続して制御機との通信を実施するよう構成された集合住宅インターホンシステムがある。
この集合住宅インターホンシステムで使用される分岐器は、例えば特許文献１に記載されているように、方向性結合器から成るトランスを使用して信号を分岐している。
【先行技術文献】
【特許文献】
【０００３】
【特許文献１】特開２０１４−１９５２１９号公報
【発明の概要】
【発明が解決しようとする課題】
【０００４】
上記特許文献１の分岐器は、方向性結合器を使用することで、例えば自身が発信した信号が受信端から戻って発信する問題を解決できた。
しかしながら、幹線及び幹線から分岐して居室親機に接続される住戸ラインが２線から成る伝送線で構成されている場合、幹線に対して信号（上り信号）を送信する居室親機の送信端側のインピーダンスを高く設定しないと幹線上の減衰量が大きくなり、居室親機の接続数が制限された。また、居室親機から幹線に漏れる上り信号のノイズが微小であっても、接続された居室親機の数に比例してノイズは増加するため、受信する制御機等の機器はＳＮ比が劣化して受信感度に影響を及ぼした。
【０００５】
そこで、本発明はこのような問題点に鑑み、居室親機までの配線が２線の伝送線で構成されている場合に、インピーダンスを考慮することなく幹線へ多数の居室親機の接続を可能とし、またノイズを抑制して良好な通信を実施できる集合住宅インターホンシステムを提供することを目的としている。
【課題を解決するための手段】
【０００６】
上記課題を解決する為に、請求項１の発明は、集合玄関に設置されて来訪者が居住者を呼び出すための集合玄関機と、各住戸に設置されて集合玄関機からの呼び出しに応答するための複数の居室親機と、集合玄関機と居室親機との間の通信を制御する制御機と、制御機から集合住宅内に配設された幹線に居室親機を接続するための住戸ラインを分岐する分岐器とを有する集合住宅インターホンシステムにおいて、分岐器は、居室親機から幹線に伝送される上り信号を増幅する上り信号アンプと、幹線から居室親機に伝送される下り信号を増幅する下り信号アンプと、住戸ラインに介在させるアンプを、上り信号アンプと下り信号アンプとの間で切り替えるＳＰＤＴスイッチと、居室親機から送出される上り信号を抽出する上り信号抽出手段と、上り信号抽出手段の抽出信号から上り信号の有無を判別するキャリア検出部と、キャリア検出部の検出結果を受けてＳＰＤＴスイッチを制御するＳＰＤＴスイッチ制御部とを有し、ＳＰＤＴスイッチ制御部は、キャリア検出部が上り信号有りと判別したら、上り信号アンプを住戸ラインに介在させ、それ以外では下り信号アンプを住戸ラインに介在させることを特徴とする。
この構成によれば、居室親機から送出される上り信号がある場合は住戸ラインに介在させるアンプを下り信号アンプから上り信号アンプに切り替えるため、幹線上に接続される居室親機の送信端は１つのみとなる。よって、居室親機の上り信号アンプの出力インピーダンスを高く設定することなく、良好な通信を実施できる。そして、居室親機が幹線に多数接続されてもノイズが増加する事もない。
【０００７】
請求項２の発明は、請求項１に記載の構成において、信号抽出手段が、上り信号の一部をキャリア検出部に出力する一方で、下り信号に対しては上り信号に比べて大きく減衰させた信号をキャリア検出部に出力する方向性結合器であることを特徴とする。
この構成によれば、上り信号抽出手段を簡易に構成できる。
【発明の効果】
【０００８】
本発明によれば、居室親機から送出される上り信号を検出して住戸ラインに介在させるアンプを下り信号アンプから上り信号アンプに切り替えるため、幹線上に接続される居室親機の送信端は１のみとなる。よって、居室親機の上り信号アンプの出力インピーダンスを高く設定することなく、良好な通信を実施できる。そして、居室親機が幹線に多数接続されてもノイズが増加する事もない。
【図面の簡単な説明】
【０００９】
【図１】本発明の集合住宅インターホンシステムの構成を示す説明図である。
【図２】分岐器の一例を示す回路図である。
【発明を実施するための形態】
【００１０】
以下、本発明を具体化した実施の形態を、図面を参照して詳細に説明する。図１は本発明に係る集合住宅インターホンシステムの構成を示す説明図であり、１は集合住宅のエントランス等の集合玄関に設置されて来訪者が住戸を選択して居住者を呼び出すための集合玄関機、２は個々の住戸内に設置されて集合玄関機１からの呼び出しに応答するための居室親機、３は通信／通話を制御する制御機、４は制御機３から集合住宅内に配設された幹線Ｌ１に居室親機２を接続するために住戸毎に設けられた分岐器である。
【００１１】
集合玄関機１は集合玄関ラインＬ２を介して制御機３に接続され、居室親機２は住戸ラインＬ３を介して幹線Ｌ１上の分岐器４に接続されている。幹線Ｌ１、集合玄関ラインＬ２、住戸ラインＬ３はいずれも２線から成る伝送線で構成されている。
また、伝送線上で送信される信号は、通話信号に加えて集合玄関機１に設けられたカメラ（図示せず）の映像信号が伝送されるが、これらの信号は時分割多重方式で伝送される。
【００１２】
尚、居室親機２には、住戸玄関に設置されて、住戸前で居住者を呼び出すための玄関子機が接続されているがここでは省略してある。
【００１３】
以下、分岐器４について具体的に説明する。分岐器４は図２の回路図に示すように構成されている。図２において、１１は制御機３から居室親機２に送信された下り信号を増幅する下り信号アンプ、１２は居室親機２から制御機３に送信された上り信号を増幅する上り信号アンプ、１３ａは対で構成された第１のＳＰＤＴスイッチ、１３ｂは第２のＳＰＤＴスイッチ、１４は居室親機２が出力する上り信号を抽出するための方向性結合器、１５は住戸ラインＬ３の絶縁を図るためのトランス、１６は居室親機２からの上り信号の有無を判別するキャリア検出部、１７はＳＰＤＴスイッチ１３（１３ａ，１３ｂ）の切り替えを制御するＳＰＤＴスイッチ制御部である。
【００１４】
ＳＰＤＴスイッチ１３は、住戸ラインＬ３上に介在させるアンプを下り信号アンプ１１と上り信号アンプ１２との間で切り替えるスイッチであり、第１のＳＰＤＴスイッチ１３ａは接続するアンプの上流側である幹線Ｌ１との接続部に配置され、第２のＳＰＤＴスイッチ１３ｂは接続するアンプの下流側である居室親機２側に配置されている。尚、この集合住宅インターホンシステムでは、幹線Ｌ１が平衡伝送の形態となっている場合を示している。
【００１５】
そして、方向性結合器１４は第２のＳＰＤＴスイッチ１３ｂとトランス１５の間に配置され、トランス１５の他方は住戸ラインＬ３を介して居室親機２に接続されている。
この方向性結合器１４は、居室親機２側から送信される上り信号に対しては、その信号の一部（例えば−１６ｄＢ）を分岐してキャリア検出部１６に出力するが、幹線Ｌ１から下り信号アンプ１１を介して伝送された下り信号に対してはアイソレーションを持ち、極めて微少なレベルしかキャリア検出部１６に出力されないよう構成されている。
【００１６】
そのため、キャリア検出部１６は方向性結合器１４の分岐出力レベルに合わせた所定の閾値が設定されており、この閾値以上の信号を検出したら、ＳＰＤＴスイッチ制御部１７に対して検出信号を出力する。方向性結合器１４の分岐出力は、上述したように上り信号に対してのみ発生するため、閾値以上の信号を検出したらそれは上り信号であるため、キャリア検出部１６は上り信号有りと判定する。
【００１７】
ＳＰＤＴスイッチ制御部１７は、待受状態ではＳＰＤＴスイッチ１３を常時下り信号アンプ１１側に倒しており（下り信号アンプ１１を住戸ラインＬ３に接続しており）、キャリア検出部１６から検出信号を受信すると、ＳＰＤＴスイッチ１３を操作して上り信号アンプ１２側に切り替える制御を実施する。即ち、住戸ラインＬ３に介在させるアンプを下り信号アンプ１１から上り信号アンプ１２に切り替える。
【００１８】
結果、制御機３から居室親機２へ送信された下り信号は、幹線Ｌ１から第１のＳＰＤＴスイッチ１３ａ、下り信号アンプ１１、第２のＳＰＤＴスイッチ１３ｂ、方向性結合器１４、トランス１５の経路で居室親機２へ送信される。
一方、居室親機２から送信された上り信号は、キャリア検出部１６がそれを検出してＳＰＤＴスイッチ１３が切替動作するため、トランス１５、方向性結合器１４、第２のＳＰＤＴスイッチ１３ｂ、上り信号アンプ１２、第１のＳＰＤＴスイッチ１３ａ、幹線Ｌ１の経路で出力され、制御機３へ送信される。
【００１９】
このように、居室親機２から送出される上り信号がある場合は、住戸ラインＬ３に介在させるアンプを下り信号アンプ１１から上り信号アンプ１２に切り替えるため、幹線Ｌ１上に接続される居室親機２の送信端は１つのみとなるため、居室親機２の上り信号アンプ１２の出力インピーダンスを高く設定することなく、良好な通信を実施できる。そして、居室親機２が幹線Ｌ１に多数接続されてもノイズが増加する事もない。
また、方向性結合器１４を用いて上り信号を検出するため、上り信号抽出手段を簡易に構成できる。
【００２０】
尚、上記集合住宅インターホンシステムは、幹線が平衡伝送の場合を示しており、分岐器４の幹線Ｌ１側には２つのＳＰＤＴスイッチ１７を設けているが、不平衡伝送の場合はＳＰＤＴスイッチ１７は１つでも良い。また、方向性結合器１４により上り信号を抽出しているが、フィルタ回路を用いて上り信号を抽出しても良い。
【符号の説明】
【００２１】
１・・集合玄関機、２・・居室親機、３・・制御機、４・・分岐器、１１・・下り信号アンプ、１２・・上り信号アンプ、１３（１３ａ，１３ｂ）・・ＳＰＤＴスイッチ、１６・・キャリア検出部、１７・・ＳＰＤＴスイッチ制御部、１４・・方向性結合器（上り信号抽出手段）、Ｌ１・・幹線、Ｌ３・・住戸ライン。
【図１】
2018088593.tif 000003
【図２】
2018088593.tif 000004